(57)【要約】【課題】  給水用寒天ブロックを衛生的に動物に供する。【解決手段】  上部に開口部を有する器体の側面壁下部に、着脱自在の封止具を備えた寒天ブロック摂取用窓孔を設けた。【選択図】  図３
2005204583.tif 000002
【特許請求の範囲】
【請求項１】
上部に開口部を有する器体の側面壁下部に、着脱自在の封止具を備えた寒天ブロック摂取用窓孔を設けたことを特徴とする動物用給水寒天の収容容器。
【請求項２】
寒天ブロック摂取用窓孔からの器体奥行寸法が１０〜３０mmであることを特徴とする請求項１記載の動物用給水寒天の収容容器。
【請求項３】
請求項１又は２記載の収容容器に、寒天ブロックを収容せしめたことを特徴とする動物用給水器。
【請求項４】
寒天ブロックの寒天濃度が０．１〜２．０％であることを特徴とする請求項３記載の動物用給水器。
【請求項５】
請求項１又は２記載の収容容器に、寒天溶液を注入して固化せしめることを特徴とする動物用給水器の製造方法。
【請求項６】
寒天溶液の寒天濃度が０．１〜２．０％であることを特徴とする請求項５記載の動物用給水器の製造方法。
【発明の詳細な説明】
【技術分野】
【０００１】
本発明は、動物の飼育や輸送の際に給水用として使用される寒天ブロックを収容するための容器、当該容器を用いた動物用給水器及び当該動物用給水器の製造方法に関する。
【背景技術】
【０００２】
マウス、ラット、モルモット、ハムスター、ウサギ等の実験あるいは愛玩動物を初めとする各種動物の飼育や輸送の際の給水には、簡便性の故に寒天溶液を固化せしめた寒天ブロックが汎用されている。
【０００３】
しかしながら、従来この寒天ブロックは、該ブロックそのものを単に動物の飼育箱や輸送箱の床面に置いて使用されていたに過ぎなかったため、箱内部の床敷材（木材チップ等）、飼料、毛はもとより糞尿までもが付着することが避けられないと共に、動物自身の踏みつけにより崩れるなどして、極めて不衛生な状態となっていたのが実状であった。また、その不衛生の故に、動物の水分摂取量が減退し、健康に及ぼす悪影響も看過し得ない問題となっていた。
【発明の開示】
【発明が解決しようとする課題】
【０００４】
本発明は、上記の如き従来の実状と問題に鑑みてなされたものであり、寒天ブロックを衛生的に動物に供することができる動物用給水寒天の収容容器、動物用給水器並びに当該動物用給水器の製造方法を提供することを課題とする。
【課題を解決するための手段】
【０００５】
本発明動物用給水寒天の収容容器は、上部に開口部を有する器体の側面壁下部に、着脱自在の封止具を備えた寒天ブロック摂取用窓孔を設けることにより前記課題を解決したものである。
【０００６】
また、本発明動物用給水器は、上記の収容容器に寒天ブロックを収容せしめることにより前記課題を解決したものである。
【０００７】
また、本発明動物用給水器の製造方法は、上記の収容容器に寒天溶液を注入して固化せしめることにより前記課題を解決したものである。
【発明の効果】
【０００８】
本発明動物用給水寒天の収容容器を用いれば、寒天ブロックを当該容器内に収容せしめ、寒天ブロック摂取用窓孔を開口した状態で飼育箱や輸送箱内にセットすることができるので、当該寒天ブロックは、飼料、毛、糞尿等の付着あるいは踏みつけ等で汚損されることがなく、極めて衛生的な状態に保持される。しかも、動物はこの衛生的な寒天ブロックを当該窓孔から容易に摂取できるので、水分摂取量も安定し、健康上の悪影響も発生しない。
【０００９】
また、本発明動物用給水器を用いれば、予め寒天ブロックが器体内に収容されているため、格別寒天ブロックを収容せずともそのまま上記と同様に使用し得るので極めて簡便性に優れる。
【００１０】
また、本発明動物用給水器の製造方法によれば、本発明の動物用給水器を極めて効率的に製造することができる。
【発明を実施するための最良の形態】
【００１１】
本発明動物用給水寒天の収容容器において、寒天ブロック摂取用窓孔からの器体奥行寸法は、動物の大きさに応じて適宜定められるが、マウス等の小型動物用としては、１０〜３０mm程度、特に１０〜１５mm程度とするのが、動物の口が窓孔とは反対の内側面壁まで達して、寒天ブロックが窓孔のある下部においてほぼ貫通状態に摂取される結果、順次寒天ブロックが自重により自然落下動し、常に窓孔に寒天ブロックが露出した状態となるので、より安定供給を可能ならしめる上で望ましい。
【００１２】
また、従来のこの種給水用寒天ブロックの寒天濃度は、保形性の点から通常０．３〜６．０％のものが用いられているが、本発明においては器体に収容されるため、０．１〜２．０％の低濃度のものも使用できる。而して、この低濃度寒天ブロックは柔らかで口当たりが良いため、本発明動物用給水器において、寒天濃度０．１〜２．０％の寒天ブロックを収容するのが、特に若令動物や疾患モデル動物等体力の弱いデリケートな状態にある動物に対しても安定かつ良好な寒天による給水を可能ならしめることができ、望ましい。
【００１３】
また、本発明動物用給水器の製造方法においては、寒天濃度が０．１〜２．０％の寒天溶液を注入して固化せしめるのが、当該低濃度寒天ブロックが収容された動物用給水器を得る上でより望ましい。
【実施例】
【００１４】
実施例１
図１〜図５は本発明動物用給水器の実施例を示すもので、以下当該図に基いて本発明を説明する。
【００１５】
１０は器体で、その上部に開口部１１が形設されていると共に、その側面壁の下部には、内部に収容された寒天ブロックＰ摂取用の窓孔１２が形設されている。また、１３は器体１０の開口部１１外縁に突設された係止部で、後述の輸送箱等の内部に取り付け固定するためのものである。
【００１６】
器体１０の形態は円筒状、楕円筒状、四角筒状、三角筒状の如何を問わないが、前記窓孔１２からの器体奥行寸法Ｌを１０〜３０mmとした扁平四角筒状とするのが、前述の如く、動物の摂取による寒天ブロックの自然落下動を可能ならしめる上で有利である。尚、この器体の材質は、金属、木、合成樹脂等の如何を問わないが、合成樹脂製とするのが成形性、軽便性等に優れ望ましい。
【００１７】
窓孔１２の形設数としては一つであっても良いが、図１に示す如く、複数形設した方が摂取し易く望ましい。また、窓孔１２を複数形設する場合には、一つの側面壁に限らず複数の側面壁あるいは全周側面壁であっても良い。
【００１８】
２０は窓孔用栓蓋で、それぞれの窓孔１２に着脱自在に装着使用される封止具である。斯かる封止具としては粘着テープ片２１も用いることができる。この場合、粘着テープ片２１は一枚で複数の窓孔１２を封止しても良いし、複数枚でそれぞれの窓孔１２毎に封止しても良い。
【００１９】
３０は開口部用栓蓋で、器体１０の開口部１１に嵌脱自在に装着使用される。
【００２０】
上記の動物用給水器は、窓孔用栓蓋２０や粘着テープ片２１の封止具を窓孔１２から取り外ずした状態で、例えば図６に示す如く、動物用輸送箱４０内の補強用段ボール４１等に、器体１０の係止部１３を係止せしめて取り付けることにより動物の給水に供される。
【００２１】
実施例２
窓孔用栓蓋２０で窓孔１２が封止され、かつ開口部用栓蓋３０が取り外ずされた図１に示す如き器体１０の当該開口部１１から寒天濃度１．０％の寒天溶液を注入し、開口部１１を開口部用栓蓋３０で封止した後、オートクレーブ滅菌し、寒天溶液を固化せしめて図３に示す如き動物用給水器を製造した。
【図面の簡単な説明】
【００２２】
【図１】本発明動物用給水器の正面説明図。
【図２】本発明動物用給水器の背面説明図。
【図３】図１のＡ−Ａ線断面説明図。
【図４】（１）は窓孔用栓蓋（封止具）の正面説明図、（２）は窓孔用粘着テープ片（封止具）の正面説明図。
【図５】開口部用栓蓋の正面説明図。
【図６】本発明動物用給水器の使用状態を示す概略説明図。
【符号の説明】
【００２３】
１０：器体
１１：開口部
１２：窓孔
１３：係止部
２０：窓孔用栓蓋（封止具）
２１：窓孔用粘着テープ片（封止具）
３０：開口部用栓蓋
４０：輸送箱
４１：補強用段ボール
Ｐ：寒天ブロック
Ｌ：奥行寸法
【図１】
2005204583.tif 000003
【図２】
2005204583.tif 000004
【図３】
2005204583.tif 000005
【図４】
2005204583.tif 000006
【図５】
2005204583.tif 000007
【図６】
2005204583.tif 000008